(57)【要約】【課題】入院患者にとっては自分のスケジュールに基づいて行き先を的確に把握でき、患者の家族にとっては患者の居場所を容易に把握できる案内装置及び案内システムを提供する。【解決手段】案内装置は、識別子担持体から患者に固有に割り当てられる識別子を読み取る識別子読取部と、情報を入出力する入出力部と、識別子読取部によって識別子を読み取り、識別子ごとに患者の病室と、患者のスケジュールと、患者の行き先と、を含む患者情報を格納する患者情報データベースを備えるサーバに患者情報を問い合わせ、受信した患者情報に基づいて入出力部に患者のスケジュールを表示させる制御部と、を備える。【選択図】図５
2015031972.tif 000002
【特許請求の範囲】
【請求項１】
識別子担持体から患者に固有に割り当てられる識別子を読み取る識別子読取部と、
情報を入出力する入出力部と、
前記識別子読取部によって前記識別子を読み取り、前記識別子ごとに患者の病室と、患者のスケジュールと、患者の行き先と、を含む患者情報を格納する患者情報データベースを備えるサーバに前記患者情報を問い合わせ、受信した前記患者情報に基づいて前記入出力部に前記患者のスケジュールを表示させる制御部と、
を備える案内装置。
【請求項２】
前記識別子読取部は、
無線タグリーダ及びバーコードリーダの内、少なくとも一方である請求項１記載の案内装置。
【請求項３】
前記制御部は、
前記患者情報にスケジュールがない場合、前記入出力装置に前記患者の病室を表示する請求項２記載の案内装置。
【請求項４】
前記案内装置は、
設置場所フロアを含む設置場所に関する情報を格納する設置場所情報ファイルをさらに備え、
前記患者情報データベースは、
前記患者の病室のあるフロアである病室フロアをさらに格納し、
前記制御部は、
前記患者情報にスケジュールがなく、前記設置場所フロアと前記病室フロアとが異なると判定した場合、前記入出力装置に前記病室フロアを表示する請求項３記載の案内装置。
【請求項５】
前記案内装置は、
前記設置場所フロアの地図であるフロア情報をさらに格納し、
前記制御部は、
前記患者情報にスケジュールがなく、前記設置場所フロアと前記病室フロアとが同じであると判定した場合、前記入出力装置に前記フロア情報を表示する請求項４記載の案内装置。
【請求項６】
患者に固有に割り当てられる識別子ごとに患者の病室と、患者のスケジュールと、患者の行き先と、を含む患者情報を格納する患者情報データベースを備えるサーバと、
識別子担持体から前記識別子を読み取る識別子読取部と、情報を入出力する入出力部と、前記識別子読取部によって前記識別子を読み取り、前記識別子に基づいて前記サーバに前記患者情報を問い合わせ、受信した前記患者情報に基づいて前記入出力部に前記患者のスケジュールを表示させる制御部と、を備える案内装置と、
を備える案内システム。
【発明の詳細な説明】
【技術分野】
【０００１】
本発明の実施形態は、案内装置及び案内システムに関する。
【背景技術】
【０００２】
総合病院や大学病院は規模が大きく、病室の数も多数に及ぶのみならず、病院内の施設も多数に及ぶ。従って、このような病院に入院している患者にとって、病院内のフロア情報を把握することは困難であることがある。
【０００３】
この点に関し、特に外来患者用に、ＩＣカードに目的地情報を含む受付情報を記憶させ、病院内に配置された道案内装置は、このＩＣカードから目的地を受信して経路情報を検索し、表示装置に経路情報を表示させるシステムが提案されている。
【０００４】
しかし、このシステムは入院患者が検査やリハビリのために病室と院内の行き来することを前提として構成されていない。従って、このシステムでは患者にとっては自分のスケジュールに従っていつ、どこに行くべきか、及び病院内の施設から自分の病室に戻るためにはどのように行くべきかなどは知ることができない。
【０００５】
また、このシステムは、患者の家族が見舞いに訪れた場合のことを考慮していない。具体的には、このシステムによっては患者が今どこにいるかを把握することができない。
【先行技術文献】
【特許文献】
【０００６】
【特許文献１】特開２００８-１５６１４号公報
【発明の概要】
【発明が解決しようとする課題】
【０００７】
本発明が解決しようとする課題は、入院患者にとっては自分のスケジュールに基づいて行き先を的確に把握でき、患者の家族にとっては患者の居場所を容易に把握できる案内装置及び案内システムを提供することである。
【課題を解決するための手段】
【０００８】
上記の課題を解決するために、本発明の一実施形態は、識別子担持体から患者に固有に割り当てられる識別子を読み取る識別子読取部と、情報を入出力する入出力部と、識別子読取部によって識別子を読み取り、識別子ごとに患者の病室と、患者のスケジュールと、患者の行き先と、を含む患者情報を格納する患者情報データベースを備えるサーバに患者情報を問い合わせ、受信した患者情報に基づいて入出力部に患者のスケジュールを表示させる制御部と、を備える案内装置を提供する。
【図面の簡単な説明】
【０００９】
【図１】案内装置の外観斜視図である。
【図２】案内システムの構成を示すブロック図である。
【図３】設置場所情報ファイルのデータ構成の例を示す図である。
【図４】患者情報データベースのデータ構成を示す図である。
【図５】案内システムの動作を示すフローチャートである。
【図６】病室フロアを表示する病室フロア画面の例を示す図である。
【図７】病室のフロアの情報を表示するフロア情報画面の例を示す図である。
【図８】患者のスケジュールを表示するスケジュール表示画面の例を示す図である。
【発明を実施するための形態】
【００１０】
以下、案内装置の一実施形態について、図面を用いて詳細に説明する。
【００１１】
本実施形態の案内装置は、識別子担持体から患者に固有に割り当てられる識別子を読み取る識別子読取部と、情報を入出力する入出力部と、識別子読取部によって識別子を読み取り、識別子ごとに患者の病室と、患者のスケジュールと、患者の行き先と、を含む患者情報を格納する患者情報データベースを備えるサーバに患者情報を問い合わせ、受信した患者情報に基づいて入出力部に患者のスケジュールを表示させる制御部と、を備える。
【００１２】
図１は、本実施形態の案内装置１の外観斜視図である。図１に示すように、案内装置１は、タッチパネルなどの入出力部１１と、無線タグから情報を読み込む無線タグリーダ１２と、バーコードを読み取るバーコードリーダ１３と、を備える。
【００１３】
無線タグは、記憶装置であるメモリと、メモリへのデータの読み書きを行う無線タグ制御部と、受信した変調電磁波の整流と安定化を行うことにより電源を供給する電源生成部と、信号を送受信するためのアンテナである無線タグアンテナと、無線タグ制御部から送出されたデータを変調して無線タグアンテナに送出する変調部と、受信した変調電磁波を復調して無線タグ制御部へ送出する復調部とを備える。
【００１４】
無線タグリーダ１２は、無線タグとの通信を制御し、接続する各ハードウエアを制御するリーダ制御部と、リーダ制御部から送出された信号を変調する変調部と、変調された信号を増幅してサーキュレータを介してアンテナに送出する送信アンプと、各アンテナからサーキュレータを介して受信した変調電磁波を増幅する受信アンプと、受信した変調信号を復調する復調部と、を備える。リーダ制御部は、演算装置であるＣＰＵ（Ｃｅｎｔｒａｌ  ｐｒｏｃｅｓｓｉｎｇ  ｕｎｉｔ）及びデータを格納するメモリを備える。
【００１５】
バーコードリーダ１３は、バーコードを撮像する撮像装置と、撮像装置によって撮像されたバーコードをデコードするデコード回路と、を備える。
【００１６】
患者の腕には、患者に固有に割り当てられる患者ＩＤを現したバーコードが印刷されたリストバンドが巻かれる。
【００１７】
患者の家族には患者ＩＤを記憶させた無線タグを有する家族カードが貸し出される。
【００１８】
図２は、案内システムの構成を示すブロック図である。図２に示すように、案内システムは、病院内の主要箇所に設置される案内装置１と、案内装置１と接続するサーバ２と、を備える。
【００１９】
案内装置１は、演算装置であるＣＰＵを含む制御部１０１と、メモリ、ハードディスクドライブなどの記憶装置を含む記憶部１０２と、タッチパネルなどの情報を入出力力する入出力部１１と、無線タグリーダ１２と、バーコードリーダ１３と、サーバ２と通信をするための通信部１０３と、を備える。識別子読取部は、無線タグリーダ１２及び、バーコードリーダ１３の内、少なくとも一方であり、患者がリストバンドのバーコードをバーコードリーダ１３にかざすか、患者の家族が無線タグを有する家族カードを無線タグリーダ１２にかざすと、案内装置１は、患者ＩＤを読み込む。
【００２０】
記憶部１０２は、案内装置１の設置場所を示す設置場所情報ファイル１０２Ａと、フロアの地図の画像ファイルと、を格納する。
【００２１】
記憶部１０２は、さらに病院内の主要施設付近の地図である行き先フロア情報を行き先の施設ごとに格納する。
【００２２】
案内装置１は、さらに記録媒体に画像形成するプリンタを備えていてもよい。
【００２３】
サーバ２は、演算装置であるＣＰＵを含むサーバ制御部２０１と、メモリ、ハードディスクドライブなどの記憶装置を含むサーバ記憶部２０２と、案内装置１と通信するためのサーバ通信部２０３と、を備える。
【００２４】
サーバ記憶部２０２は、患者に固有に割り当てられる患者ＩＤ毎に、患者の病室と、患者のスケジュールと、を格納する患者情報データベース２０２Ａ（以下、データベースをＤＢという。）を格納する。
【００２５】
図３は、設置場所情報ファイル１０２Ａのデータ構成の例を示す図である。図３に示すように、設置場所情報ファイル１０２Ａは、案内装置１の設置フロアを示す「設置フロア」と、設置場所付近の地図である「フロア情報」の画像ファイル名と、を格納する。
【００２６】
図３の例は、設置フロアが「Ｆ１」、フロア情報の画像ファイル名が「Ｆ１．ｊｐｇ」である。
【００２７】
図４は、患者情報ＤＢ２０２Ａのデータ構成を示す図である。図４に示すように、患者情報ＤＢは、患者に固有に割り当てられる識別子である「患者ＩＤ」と、患者の氏名である「氏名」と、患者の生年月日を示す「生年月日」と、患者の病室を示す「病室」と、患者の病室のあるフロアを示す「病室フロア」と、患者のスケジュールを示す「スケジュール」と、スケジュールにおける患者の行き先フロアを示す「行き先フロア」と、スケジュールにおける患者の行き先を示す「行き先」と、を格納する。
【００２８】
図４の例は、患者ＩＤが「１３５００１８」、氏名が「○山△男」、生年月日が「１９５４０８０１」、病室フロアが「Ｆ６」、病室が「６１１」、スケジュールが「１４：００−１４：３０」、行き先フロアが「Ｂ１」、行き先が「リハビリ室」である。
【００２９】
図５は、案内システムの動作を示すフローチャートである。図５に示すように、ステップ５０１において、患者がリストバンドのバーコードをバーコードリーダ１３にかざすか、患者の家族が無線タグを有する家族カードを無線タグリーダ１２にかざすと、案内装置１は、患者ＩＤを読み込む。
【００３０】
ステップ５０２において、案内装置１は、サーバ２に患者ＩＤを送信して患者情報を問い合わせる。
【００３１】
ステップ５０３において、サーバ２は、受信した患者ＩＤに基づいて患者情報ＤＢ２０２Ａを検索し、患者情報を読み出す。
【００３２】
ステップ５０４において、サーバ２は読み出した患者情報を案内装置１に送信する。ステップ５０４にて、患者情報を案内装置１に送信すると、サーバ２は、ステップ５０３に戻る。
【００３３】
ステップ５０５において、案内装置１はサーバ２から送信された患者情報を受信する。
【００３４】
ステップ５０６において、案内装置１は患者情報にスケジュールがあるかを判定する。案内装置１は患者情報にスケジュールがある場合（ステップ５０６のＹｅｓ）、ステップ５１０に進み、スケジュールがない場合（ステップ５０６のＮｏ）、ステップ５０７に進む。
【００３５】
ステップ５０７において、案内装置１は設置フロアが病室フロアと同じであるかを判定する。案内装置１は設置フロアが病室フロアと同じであると判定した場合（ステップ５０７のＹｅｓ）、ステップ５０９に進み、同じでないと判定した場合（ステップ５０７のＮｏ）、ステップ５０８に進む。
【００３６】
ステップ５０８において、案内装置１は入出力部１１に病室フロアを表示する病室フロア画面６０１を出力する。
【００３７】
ステップ５０９において、案内装置１は入出力部１１にフロア情報を表示するフロア情報画面７０１を出力する。
【００３８】
ステップ５１０において、案内装置１は、入出力部１１にスケジュール、行き先フロア、及び行き先を表示するスケジュール表示画面８０１を出力する。
【００３９】
スケジュール表示画面８０１に表示される行き先付近の地図である行き先フロア情報は、案内装置１が行き先に基づいて記憶部１０２から読み出して表示する。
【００４０】
ステップ５１１において、案内装置１は入出力部１１に情報を表示してから所定時間、例えば１５秒経過したかを判定する。案内装置１は、所定時間経過したと判定した場合（ステップ５１１のＹｅｓ）、ステップ５１２に進み、所定時間経過していないと判定した場合（ステップ５１１のＮｏ）、ステップ５１１に戻る。
【００４１】
ステップ５１２において、案内装置１は、入出力部１１に表示した画面を消去し、ステップ５０１に戻る。
【００４２】
図６は、病室フロアを表示する病室フロア画面６０１の例を示す図である。図６に示すように、病室フロア画面６０１は、患者の氏名と、患者の病室のフロアと、を表示する。
【００４３】
図７は、病室のフロアの情報を表示するフロア情報画面７０１の例を示す図である。図７に示すように、フロア情報画面７０１は、患者の氏名と患者の病室を表示する氏名病室欄７０２と、フロアの地図であるフロア情報を示すフロア情報欄７０３と、を備える。
【００４４】
図８は、患者のスケジュールを表示するスケジュール表示画面８０１の例を示す図である。図８に示すように、スケジュール表示画面８０１は、患者の氏名と、患者のスケジュールと、行き先フロアと、行き先と、を示すスケジュール表示欄８０２と、行き先付近の地図である行き先フロア情報を示す行き先フロア情報欄８０３と、を備える。
【００４５】
以上述べたように、本実施形態の案内装置１は、無線タグから情報を読み出す無線タグリーダ１２と、バーコードを読み取るバーコードリーダ１３と、情報を入出力する入出力部１１と、設置場所に関する情報を格納する設置場所情報ファイル１０２Ａと、無線タグリーダ１２又はバーコードリーダ１３によってバーコードから患者に固有に割り当てられる識別子である患者ＩＤを読み取り、患者ＩＤごとに患者の病室と、患者のスケジュールと、患者の行き先と、を含む患者情報を格納する患者情報ＤＢ２０２Ａを備えるサーバ２に患者情報を問い合わせ、受信した患者情報に基づいて入出力部１１に患者のスケジュールを表示させる制御部と、を備える。
【００４６】
従って、入院患者にとっては自分のスケジュールに基づいて行き先を的確に把握でき、患者の家族にとっては患者の居場所を容易に把握できるという効果がある。
【００４７】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
１：案内装置
２：サーバ
１１：入出力装置
１２：無線タグリーダ
１３：バーコードリーダ
１０１：制御部
１０２Ａ：設置場所情報ファイル
２０２Ａ：患者情報データベース
【図１】
2015031972.tif 000003
【図２】
2015031972.tif 000004
【図３】
2015031972.tif 000005
【図４】
2015031972.tif 000006
【図５】
2015031972.tif 000007
【図６】
2015031972.tif 000008
【図７】
2015031972.tif 000009
【図８】
2015031972.tif 000010